(57)【要約】ピクチャ及び続くピクチャを表示するための電気泳動表示パネルは、第１及び第２の対向基板（８，９）と、対向基板（８，９）間の電気泳動媒体であって、第１の色を有する第１荷電粒子を有する、電気泳動媒体と、複数の画素（２）と、各々の画素（２）に関連する第１、第２及び第３電極（３，４，１０）と、駆動手段とを有する。電気泳動媒体は第１の色を有する第１荷電粒子を有する。駆動手段は、前記ピクチャを表示するためのピクチャ電位値を有するように、続いて、前記続くピクチャを表示するための続くピクチャ電位値を有する前にインタバル電位値を有するように、第１、第２及び第３電極において第１、第２及び第３電位をそれぞれ制御することができる。再現可能なアピアランスを有する画素（２）を有する表示パネルのために、駆動手段は、ピクチャの表示と続くピクチャの表示との間に所定のリセット位置（１３）に荷電粒子を移動させるためのインタバル電位値として電極（３，４，１０）にリセット電位値を印加することができる。
2005536773.tif 000002
【特許請求の範囲】
【請求項１】
ピクチャ及び続くピクチャを表示するための電気泳動表示パネルであって：
第１及び第２の対向基板；
前記対向基板間の電気泳動媒体であって、第１の色を有する第１荷電粒子を有する、電気泳動媒体；
複数の画素；
各々の画素に関連する第１、第２及び第３電極；並びに
前記ピクチャを表示するためのピクチャ電位値を有するように、続いて、前記続くピクチャを表示するための続くピクチャ電位値を有する前にインタバル電位値を有するように、第１、第２及び第３電極において第１、第２及び第３電位をそれぞれ制御することができる駆動手段；
を有する電気泳動表示パネルであり、
前記駆動手段は、前記ピクチャの表示と前記続くピクチャの表示との間に所定のリセット位置に荷電粒子を移動させるためのインタバル電位値として電極にリセット電位値を印加することができる；
ことを特徴とする電気泳動表示パネル。
【請求項２】
請求項１に記載の電気泳動表示パネルであって、第１基板は、各々の画素のために第１電極を有し、第２基板は、各々の画素のために第２及び第３電極を有する、ことを特徴とする電気泳動表示パネル。
【請求項３】
請求項１に記載の電気泳動表示パネルであって、前記リセット電位値は前記ピクチャ電位値に対して逆であり、前記駆動手段は、前記の続くピクチャ電位値印加する前に、前記ピクチャ電位値と同じ持続時間の間、前記リセット電位値を印加することができる、ことを特徴とする電気泳動表示パネル。
【請求項４】
請求項１に記載の電気泳動表示パネルであって、前記所定のリセット位置は極位置であり、前記リセット電位値は前記ピクチャ電位値に対して逆であり、前記駆動手段は、前記の続くピクチャ電位値印加する前に、少なくとも前記ピクチャ電位値と同じ持続時間の間、前記リセット電位値を印加することができる、ことを特徴とする電気泳動表示パネル。
【請求項５】
請求項１に記載の電気泳動表示パネルであって、前記第１荷電粒子は一種類の負の荷電粒子及び正の荷電粒子を有し、前記駆動手段は、前記第１電極に関連する前記所定のリセット位置に荷電粒子を移動させるための前記電極に前記リセット電位値を印加することができる、ことを特徴とする電気泳動表示パネル。
【請求項６】
請求項１に記載の電気泳動表示パネルであって、前記第１荷電粒子は一種類の負の荷電粒子及び正の荷電粒子を有し、各々の画素に対して、第４電極は、前記第２基板から離れて存在し、第４電極に関連する所定のリセット位置に家電粒子を移動させるために前記駆動手段からだ意４電位を受けることができる、ことを特徴とする電気泳動表示パネル。
電位値を印加することができる、ことを特徴とする電気泳動表示パネル。
【請求項７】
請求項１に記載の電気泳動表示パネルであって、前記第１荷電粒子は負の荷電しており、前記電気泳動媒体は、第２の色及び正の電荷を有する第２荷電粒子を有し、各々の画素に対して、第４及び第５電極は前記第２基板から離れて存在し、前記第４及び第５電極それぞれに関連する所定のリセット位置に荷電粒子を移動させるための駆動手段からだ意４及び第５電位をそれぞれ受けることができる、ことを特徴とする電気泳動表示パネル。
【発明の詳細な説明】
【技術分野】
【０００１】
本発明は、
−  対向する第１基板及び第２基板と；
−  それらの基板間の電気泳動媒体であって、第１の色を有する第１荷電粒子を有する、電気泳動媒体と；
−  複数の画素と；
−  各々の画素に関連する第１、第２、第３及び第４電極と；
−  画素を表示するためのピクチャ電位値を有するように、続いて、続くが素を表示するために続くピクチャ電位値を有する前にインタバル電位値を有するように、第１、第２及び第３電極それぞれにおいて第１、第２及び第３電位を制御することができる駆動手段と；
を有する、ピクチャ及びサブピクチャを表示するための電気泳動表示パネルに関する。
【背景技術】
【０００２】
冒頭の段落において述べた種類の電気泳動表示パネルの実施形態については、非公開の欧州特許第０１２００９５２．８号明細書に記載されている。
【０００３】
上記の電気泳動表示パネルにおいては、複数の画素のうちの画素は、電極間の第１荷電粒子の位置により決定されるアピアランスを有する。画素のアピアランスは、しかしながら、電位ばかりでなく、それらの電位の履歴に依存する。履歴依存性を低減するために、荷電粒子の位置は、電位のインタバル電位値の結果として、ピクチャ及び続くピクチャの表示の間のインタバル位置に対して変化される。インタバル位置は、続くピクチャを表示するように荷電粒子の位置を変化させるための開始位置としての役割を果たす。しかしながら、画素のアピアランスの履歴依存性は、尚も比較的大きい。それ故、画素の実質的に再現可能なアピアランスを有することは困難である。
【０００４】
上記の表示パネルの欠点は、実質的に再現可能なアピアランスを有する画素を得ることが困難であることである。
【発明の開示】
【発明が解決しようとする課題】
【０００５】
本発明の目的は、実質的に再現可能なアピアランスを有する画素を有する、冒頭の段落において述べた種類の表示パネルを提供することである。
【課題を解決するための手段】
【０００６】
その目的は、ピクチャの表示と続くピクチャの表示との間の所定のリセット位置に荷電粒子を移動させるためのインタバル電位値として、駆動手段が電極にリセット電位値を印加することができることにより達成される。
【０００７】
本発明は、荷電粒子がインタバル位置として所定のリセット位置に移動される場合、続くピクチャの前のインタバル位置は各々の続くピクチャの前のインタバル位置に実質的に等しいという洞察に基づいている。それ故、画素のアピアランスの電位の履歴依存性は実質的に存在しない。本発明に従った表示パネルの駆動手段は、インタバル電位値として電極にリセット電位値を印加することにより、ピクチャの表示と続くピクチャの表示との間の所定のリセット位置に荷電粒子を移動させることができる。それ故、表示パネルは、実質的に再現可能なアピアランスを有する画素を有する。これは、インタバル位置がインタバル電位値として所定の電位値によりもたらされる、非公開の欧州特許第０１２００９５２．８号明細書に記載されている表示パネルとは対照的である。その結果としてのインタバル位置は、前のピクチャの表示の間の位置に非常に依存する。それ故、ス付くピクチャにおける画素の実質的に再現可能なアピアランスを得ることは可能ではない。
【０００８】
第１基板が各々の画素のために第１電極を有し、第２基板が各々の画素のために第２及び第３電極を有する場合、画素のアピアランスは、第１、第２及び第３電極を有する１つの基板を有する表示パネルに比較して、容易に変化させることができる。代替として、多くの他の画素の幾何学的構成が可能である。
【０００９】
続くピクチャ電位値を印加する前に、リセット電位値がピクチャ電位値と逆であり、駆動手段が、ピクチャ電位値と同じ持続時間の間、リセット電位値を印加することができる場合、荷電粒子の軌道は、ピクチャでに値の結果として荷電粒子の軌道と逆である。その結果、荷電粒子は、ピクチャが表示される前に占めていた位置に実質的に戻される。１つの電位のピクチャ電位値が０である場合、それぞれのリセット電位値は又、０である。その結果、荷電粒子のインタバル位置は、各々の続くピクチャに対して同等である。表示パネルは、ピクチャの表示と続くピクチャの表示との間においてのみ異なるピクチャ電位値を有する、非公開の欧州特許第０１２００９５２．８号明細書に記載されている表示パネルと類似する構造を有することが可能である。
【００１０】
続くピクチャ電位値を印加される前に、所定のリセット位置が極端な位置であり、リセット電位値はピクチャ電位値とは逆であり、駆動手段がピクチャ電位値と少なくとも同じ持続時間の間、リセット電位値を印加することができる場合、荷電粒子の軌道は、ピクチャ電位値の結果として、荷電粒子の軌道をは逆である。リセット電位値は、ピクチャ電ピクチャ電位値より長い持続時間の間、印加されることが可能であり、それ故、所定のリセット位置が極端な位置であり、即ち、リセット電位値が、ピクチャ電位値より長い持続時間の間、印加される場合に荷電粒子の位置は変化しないため、よりクリティカルでない。その結果、荷電粒子は、ピクチャが表示される前に占めていた位置に実質的に戻される。
【００１１】
他の実施形態においては、第１荷電粒子は負の荷電粒子と正の荷電粒子の一種類から成り、駆動手段は、第１電極に関連する所定のリセット位置に荷電粒子を移動させるための電極にリセット電位値を印加することができる。次いで、第１荷電粒子は、画素の寸法に比べて比較でき小さい第１電極近傍に集まる。第１荷電粒子が負の荷電粒子から成る場合、第１電極のリセット電位値は、第２及び第３電極各々のリセット電位値に比べて高い。第１荷電粒子が正の荷電粒子から成る場合、第１電極のリセット電位値は、第２及び第３電極各々のリセット電位値に比べて低い。
【００１２】
他の実施形態においては、第１荷電粒子は負の荷電粒子と正の荷電粒子の一種類から成り、各々の画素に対して、第４電極は第２基板から離れて存在し、第４電極に関連する所定のリセット位置に荷電粒子を移動させるための駆動手段から第４電位を受けることができる。駆動手段は、第４電極に関連する所定のリセット位置に荷電粒子を移動させるための４つの電極にリセット電位値を印加することができる。第１荷電粒子が負の荷電粒子から成る場合、第４電極のリセット電位値は、第１、第２及び第３電極の各々のリセット電位値に比べて高い。第１荷電粒子が正の荷電粒子から成る場合、第４電極のリセット電位値は、第１、第２及び第３電極の各々のリセット電位値に比べて低い。第１荷電粒子が、例えば、第４電極近傍に集まる場合、第１荷電粒子は、第４電極に関連する所定のリセット位置にある。この実施形態は、画素がより良好な再現可能なアピアランスを有する有利点を有する。
【００１３】
他の実施形態においては、第１荷電粒子は負に荷電し、電気泳動媒体は、第２の色と正電荷を有する第２荷電粒子を更に有し、各々の画素に対して、第４及び第５電極が第２基板から離れて存在し、第４及び第５電極それぞれに関連する所定のリセット位置に荷電粒子を移動させるための駆動手段から、第４および第５電位それぞれを受けることができる。駆動手段は、第４及び第５電極それぞれに関連する所定のリセット電位に第１及び第２荷電粒子を移動させるための第５電極にリセット電位値を印加することができる。第４電極に関連する所定のリセット位置に第１荷電粒子を移動させるため、及び、第５電極に関連する所定のリセット位置に第２荷電粒子を移動させるために、第４電極のリセット電位値は、第１、第２、第３及び第５電極各々のリセット電位値に比べて高く、第５電極のリセット電位値は、第１、第２、第３及び第４電極各々のリセット電位値に比べて低い。第１荷電粒子が、第４電極と関連する所定のリセット位置にあるとき、第１荷電粒子は、例えば、第４電極近傍に集まる。第２荷電粒子が、第５電極と関連する所定のリセット位置にあるとき、第２荷電粒子は、例えば、第５電極近傍に集まる。この実施形態は、画素がよりよい再現可能なアピアランスを有する有利点を有する。
【００１４】
本発明の以上の及び他の特徴については、添付図を参照して、更に詳細に説明する。
【００１５】
添付図は模式的であり、スケーリングして描かれておらず、全ての図において、対応する構成部分は同様の参照番号で示している。
【発明を実施するための最良の形態】
【００１６】
図１は、第２基板９と複数の画素２とを有する表示パネル１を示している。画素２は、例えば、二次元構造において実質的にまっすぐなラインに沿って配列している。
【００１７】
図２は、第１基板８と第２の対向基板９とを有する表示パネル１を示している。電気泳動媒体５は、基板８及び９の間にある。電気泳動媒体５は、流体内で第１の色を有する第１荷電粒子を有する。例えば、第１荷電粒子６は黒色であり、負の電荷を有し、流体は白色である。そのような電気泳動媒体は、Ｅ  Ｉｎｋ社から購入することができる。第１、第２及び第３電極（３，４，１０）は各々の画素（２）に関連している。図２において、第１基板８は、各々の画素２に対して、第１電極３を有し、第２基板９は、各々の画素２に対して、第２電極４と第３電極１０とを有する。第１、第２及び第３電極（３，４，１０）は、第１、第２及び第３電位それぞれを受けることができる。
【００１８】
図３ａは、ピクチャを表示するためのピクチャ電位値を有する電極３、４、１０を示している。画素２´の第１、第２及び第３電極（３，４，１０）のピクチャ電位値は、例えば、それぞれ、０、１０及び５Ｖである。負に荷電した黒色粒子６は差異２電極４近傍に存在し、画素２´は灰色のアピアランスを示す。画素２の第１、第２及び第３電極（３，４，１０）ピクチャ電位値は、画素２´のピクチャ電位値とは異なることが可能である。
【００１９】
続いて、ピクチャの表示と続くピクチャの表示との間で、図３ｂにおける電極３、４、１０はインタバル電位値としてリセット電位値を有する。その結果、荷電粒子６は所定のリセット位置１３にある。リセット電位値は、例えば、ピクチャ電位値及びリセット電位値に対して逆であり、ピクチャ電位値は、同じ持続時間の間、印加される。画素２´の第１、第２及び第３電極３、４、１０のリセット電位値は、図３ａに与えられている例に関連し、それ故、それぞれ、０、−１０及び−５Ｖである。
【００２０】
続いて、図３ｃにおいて、電極３、４及び１０は、続くピクチャを表示するための続くピクチャ電位値を有する。画素２´の第１、第２及び第３電極３、４及び１０の続くピクチャ電位値は、例えば、それぞれ、１０、０及び０Ｖである。負に荷電した黒色粒子は第１電極３近傍に存在し、画素２´は白色のアピアランスを有する。
【００２１】
図４においては、電極３、４及び１０は、ピクチャの表示と続くピクチャの表示との間のインタバル電位値としてリセット電位値を有する。図４の第１電極３近傍においては、所定のリセット電位１３は極端な位置である。リセット電位値はピクチャ電位値とは逆であり、リセット電位値は、少なくともピクチャ電位値と同様の持続時間の間、印加される。その結果、荷電粒子６は所定のリセット位置１３にある。
【００２２】
図５は、画素２の寸法と比べて小さい第１電極を示している。電極３、４及び１０は、リセット電位値を有する。第１荷電粒子６は、第１電極３に関連する所定のリセット位置１３にある。第１荷電粒子６が負の電荷を有する場合、画素２´の第１、第２及び第３電極３、４、１０のリセット電位値は、例えば、それぞれ１５、０及び０Ｖである。第１荷電粒子６が正の電荷を有する場合、画素２´の第１、第２及び第３電極３、４、１０のリセット電位値は、例えば、それぞれ−１５、０及び０Ｖである。両方の場合、第１荷電粒子６は第１電極３近傍に集まる。
【００２３】
図６においては、多くの画素２の第１電極３から構成される。更に、各々の画素に対して、第１電極３は、第１基板の画素２の寸法に比べて、小さい一部に存在する。第１荷電粒子が、第１電極３に関連する所定のリセット位置１３にあるとき、第１荷電粒子６は第１電極３近傍に集まる。
【００２４】
図７は、その図の第１基板８における、第２基板９から離れて存在する第４電極１１を示している。電極３、４、１０及び１１はりセット電位値を有する。第１荷電粒子６は、第４電極１１に関連する所定のリセット位置１３にある。第１荷電粒子６が負の電荷を有する場合、画素２´の第１、第２、第３及び第４電極３、４、１０及び１１のリセット電位値は、例えば、それぞれ０、０、０及び１５Ｖである。第１荷電粒子６が正の電荷を有する場合、画素２´の第１、第２、第３及び第４電極３、４、１０及び１１のリセット電位値は、例えば、それぞれ０、０、０及び−１５Ｖである。両方の場合、第１荷電粒子６は第４電極１１近傍に集まる。
【００２５】
図８は、第１荷電粒子が、例えば、黒色として、負に荷電した場合を示している。更に、電気泳動媒体５は、負の電荷を有し、例えば、白色である第２荷電粒子７を有する。電気泳動媒体５の流体は、例えば、透明である。各々の画素２に対して、第４電極１１及び第５電極１５は第１基板に存在する。電極３、４、１０、１１及び１２はリセット電位値を有する。第１荷電粒子６は、第４電極１１に関連する所定のリセット位置１３にある。第２荷電粒子７は、第５電極１２に関連する所定のリセット位置１３にある。画素２´の第１、第２、第３、第４及び第５電極３、４、１０、１１及び１２は、例えば、それぞれ、０、０、０、１５及び−１５Ｖである。第１荷電粒子６は第４電極１１近傍に集まり、第２荷電粒子７は第４電極１２近傍に集まる。
【００２６】
図９は、画素２及び駆動手段１００を有する表示パネル１を示す図である。駆動手段１００は、ピクチャを表示するためのピクチャ電位値を有するように、続いて、続くピクチャを表示するための続くピクチャ電位値を有する前に、所定のリセット位置１３に荷電粒子６、７を移動させるためのリセット電位値を有するように、各々の画素２の第１、第２及び第３電極３、４、１０それぞれの第１、第２及び第３電位を制御することができる。更に、第４電極１１が存在する場合、駆動手段１００は、第４電極１１に関連する所定のリセット位置１３に荷電粒子６を移動させるための第４電極１１の第４電位を制御することができる。更に、第５電極１２が存在する場合、駆動手段１００は、第５電極１２に関連する所定のリセット位置１３に荷電粒子７を移動させるための第５電極１２の第５電位を制御することができる。
【００２７】
本発明の範囲内で多くの変形が可能であることは、当業者に理解されるであろう。
【図面の簡単な説明】
【００２８】
【図１】表示パネルの実施形態の正面図である。
【図２】図１のＩＩ−ＩＩラインにおける実施形態の断面図である。
【図３ａ】電極がピクチャ電位値を有する場合の、図２の実施形態を示す図である。
【図３ｂ】電極がリセット電位値を有する場合の、図２の実施形態を示す図である。
【図３ｃ】電極が続くピクチャ電位値を有する場合の、図２の実施形態を示す図である。
【図４】電極がリセット電位値を有する場合の、第２実施形態の図１のＩＩ−ＩＩラインにおける断面図である。
【図５】電極がリセット電位値を有する場合の、第３実施形態の図１のＩＩ−ＩＩラインにおける断面図である。
【図６】第４実施形態の図４のＶ−Ｖラインにおける断面図である。
【図７】電極がリセット電位値を有する場合の、第５実施形態の図１のＩＩ−ＩＩラインにおける断面図である。
【図８】電極がリセット電位値を有する場合の、第６実施形態の図１のＩＩ−ＩＩラインにおける断面図である。
【図９】表示パネルの一部を示す図である。
【図１】
2005536773.tif 000003
【図２】
2005536773.tif 000004
2005536773.tif 000005
【図４】
2005536773.tif 000006
【図５】
2005536773.tif 000007
【図６】
2005536773.tif 000008
【図９】
2005536773.tif 000009
【図７】
2005536773.tif 000010
【図８】
2005536773.tif 000011
【国際調査報告】
2005536773.tif 000012
2005536773.tif 000013